(57)【要約】  【課題】  人手による手摺ベルトの清掃作業が不要である、あるいは、その頻度を低くできる手摺ベルト清掃装置及び方法を提供する。  【解決手段】  手摺ベルト清掃装置１は、手摺ベルトＢの表面に押し当てられて回転させられる原動ローラー１０と、回転しながら手摺ベルトＢの表面に押し当てられるブラシローラー２０と、これらを支持するベース４０を備える。ベース４０は、エスカレーターの乗り口の床面上に設置される。原動ローラー１０の回転軸１１とブラシローラー２０の回転軸２３には、各々プーリ１８、２８が固定されている。各プーリ１８、２８の間にはタイミングベルト３０がたすき掛けされて巻き回されている。手摺ベルトＢとの摩擦により原動ローラー１０が回転するとタイミングベルト３０を介してブラシローラー２０が回転し、手摺ベルトＢの表面に付着したほこりやごみを除去する。【選択図】  図１
2012218892.tif 000002
【特許請求の範囲】
【請求項１】
エスカレーター等の人員輸送用ベルトコンベアの手摺ベルトを清掃する装置であって、
前記手摺ベルトの表面に押し当てられて回転させられる原動ローラーと、
回転しながら前記手摺ベルトの表面に押し当てられるブラシローラーと、
前記原動ローラーの回転を前記ブラシローラーに伝える回転伝動機構と、
前記原動ローラー及び前記ブラシローラーを回転自在に保持するベースと、
を具備し、
該ベースが、前記コンベアの乗り口における、前記手摺ベルトの床寄り走行部分に対向する床上に設置されることを特徴とする手摺ベルト清掃装置。
【請求項２】
前記ベースの裏面に、高粘着層又は高摩擦力層が形成されていることを特徴とする請求項１に記載の手摺ベルト清掃装置。
【請求項３】
前記ブラシローラーの幅が、前記手摺ベルトの幅よりも広いことを特徴とする請求項１又は２に記載の手摺ベルト清掃装置。
【請求項４】
前記回転伝動機構が、
前記原動ローラーの回転軸に固定されたプーリと、
前記ブラシローラーの回転軸に固定されたプーリと、
前記両プーリ間にたすき掛けされたベルトと、
を有し、
前記原動ローラーとブラシローラーの直径比が１：１〜１：２であることを特徴とする請求項１、２又は３に記載の手摺ベルト清掃装置。
【請求項５】
エスカレーター等の人員輸送用ベルトコンベアの手摺ベルトを清掃する方法であって、
前記ベルトコンベアの乗り口の床寄りの部分において原動ローラーを前記手摺ベルトの表面に押し当てて回転させ、
前記原動ローラーの回転を、回転伝動機構によって、該原動ローラーに隣接して設置されたブラシローラーに伝えて該ブラシローラーを回転させ、これにより該ブラシローラーを前記手摺ベルトの表面に押し当て、前記手摺ベルトの表面を清掃することを特徴とする手摺ベルト清掃方法。
【発明の詳細な説明】
【技術分野】
【０００１】
本発明は、エスカレーターや動く歩道などの人員輸送用装置に搭載される手摺ベルトを清掃する装置及び方法に関する。特には、手摺ベルトの循環走行によって駆動力を得る手摺ベルト清掃装置に関する。
【背景技術】
【０００２】
エスカレーターや動く歩道などの人員輸送用装置には、階段や歩道と同じ速度で循環走行するように駆動される手摺ベルトが配設されている。このような手摺ベルトには、多くの人が直接接触するため、汚れが付着しやすい。さらに、特に屋外施設に設けられている場合は、空気中のほこりも付着する。このため、定期的（１〜７日毎）に洗剤を用いて人手によって清掃される場合が多い。この場合、例えば、洗剤を付けた雑巾を走行する手摺ベルトの表面に押し当てて同表面を清掃する。
【０００３】
この場合、清掃直後は手摺ベルトは清潔な状態に保たれるが、ある程度時間が経過すると、また汚れやほこりが付着してしまう。手摺ベルトを常時清潔な状態に保つには、人手による清掃作業を頻繁に行わねばならず人件費が高くなる。
【発明の開示】
【発明が解決しようとする課題】
【０００４】
本発明は、上記の問題点に鑑みてなされたものであって、循環走行する手摺ベルトを利用して駆動することによって、人手による手摺ベルトの清掃作業が不要である、あるいは、その頻度を低くできる手摺ベルト清掃装置及び方法を提供することを目的とする。
【課題を解決するための手段】
【０００５】
本発明の手摺ベルト清掃装置は、  エスカレーター等の人員輸送用ベルトコンベアの手摺ベルトを清掃する装置であって、  前記手摺ベルトの表面に押し当てられて回転させられる原動ローラーと、  回転しながら前記手摺ベルトの表面に押し当てられるブラシローラーと、  前記原動ローラーの回転を前記ブラシローラーに伝える回転伝動機構と、  前記原動ローラー及び前記ブラシローラーを回転自在に保持するベースと、  を具備し、  該ベースが、前記コンベアの乗り口における、前記手摺ベルトの床寄り走行部分に対向する床上に設置されることを特徴とする。
【０００６】
本発明によれば、以下の作用効果を奏する。
（１）エスカレーター等の人員輸送用ベルトコンベアの乗り口の床に設置するので、既存のエスカレーター等に設置可能である。
（２）ブラシローラーの回転動力は手摺ベルトの走行力から得るので、独自の動力や配線が不要であり、経済的である。
（３）エスカレーターの運転中は常時清掃作業を行うので、手摺ベルトを清潔に保つことができ、衛生的である。
（４）洗剤を使用した人手による清掃作業は不要となる。あるいは作業頻度を少なくできる。さらに、この際にも、雑巾などを強い力で長時間手摺ベルトに押しつけなくてもすむ。このため人件費を低減できる。
【０００７】
本発明においては、  前記ベースの裏面に、高粘着層又は高摩擦力層が形成されていることとすれば、ベースを床上に設置した後、位置ずれなどが生じにくい。
なお、ベースの裏面を高粘着性又は高摩擦性を有するように表面処理してもよい。
【０００８】
本発明においては、  前記ブラシローラーの幅が、前記手摺ベルトの幅よりも広いこととすれば、ブラシローラーが手摺ベルトの表面のみならず側面にも回転接触するので、手摺ベルトの側面も清掃できる。
【０００９】
本発明においては、  前記回転伝動機構が、  前記原動ローラーの回転軸に固定されたプーリと、  前記ブラシローラーの回転軸に固定されたプーリと、  前記両プーリ間にたすき掛けされたベルトと、を有し、  前記原動ローラーとブラシローラーの直径比が１：１〜１：２であることが好ましい。
【００１０】
本発明の手摺ベルト清掃方法は、  エスカレーター等の人員輸送用ベルトコンベアの手摺ベルトを清掃する方法であって、  前記ベルトコンベアの乗り口の床寄りの部分において原動ローラーを前記手摺ベルトの表面に押し当てて回転させ、  前記原動ローラーの回転を、回転伝動機構によって、該原動ローラーに隣接して設置されたブラシローラーに伝えて該ブラシローラーを回転させ、これにより該ブラシローラーを前記手摺ベルトの表面に押し当て、前記手摺ベルトの表面を清掃することを特徴とする。
【発明の効果】
【００１１】
以上の説明から明らかなように、本発明の手摺ベルト清掃装置は、エスカレーター等の人員輸送用ベルトコンベアの乗り口の床に設置するので、既存のエスカレーター等に簡単に設置することができる。さらに、手摺ベルトの走行力を利用してブラシローラーを回転させるので、独自の動力や配線が不要であり、経済的である。また、エスカレーターの運転中は常時清掃作業を行うので、手摺ベルトを清潔に保つことができ、洗剤を使用した人手による清掃作業を不要あるいは作業頻度を少なくできる。
【図面の簡単な説明】
【００１２】
【図１】本発明の実施の形態に係る手摺ベルト清掃装置の構造を示す斜視図である。
【図２】図１の手摺ベルト清掃装置の設置位置を図である。
【図３】図１の手摺ベルト清掃装置によって手摺ベルトの表面を清掃している状態を示す図である。
【発明を実施するための形態】
【００１３】
以下、本発明の実施の形態について、図面を参照しながら詳細に説明する。
図１を参照して、本発明の実施の形態に係る手摺ベルト清掃装置を説明する。
手摺ベルト清掃装置１は、手摺ベルトＢの表面に押し当てられて回転させられる原動ローラー１０と、回転しながら手摺ベルトＢの表面に押し当てられるブラシローラー２０と、原動ローラー１０の回転をブラシローラー２０に伝える回転伝動機構と、を有し、これらはベース４０に支持されている。
【００１４】
原動ローラー１０は、手摺ベルトＢの幅とほぼ同じ長さであり、摩擦係数の高い材料（例えば、ウレタン樹脂やシリコンゴムなど）で作製される。原動ローラー１０の軸心にはローラー軸１１が挿通されている。ローラー軸１１の両端からやや内寄りの部分は、ベース４０に立設する軸受支柱１３に回転可能に支持されている。各軸受支柱１３は、ベース４０に立設されている支柱部１５と、支柱部１５に対してバネ１４により上方に付勢されるように支持される軸受部１６とを有する。この軸受支柱１３により、原動ローラー１０は上方に付勢されている。また、各軸受支柱１３は、ベース４０に対して高さ調整可能に固定されている。さらに、回転軸１１の両端には、各々プーリ１８が固定されている。
【００１５】
ブラシローラー２０は、手摺ベルトＢの幅よりもやや長い長さであり、本体部２１と、本体部２１の表面に植設された、ブラシの素線となる多数の線状体２２を有する。本体部２１の径は、原動ローラー１０の径の１〜２倍である。この例では、線状体２２は本体部２１の全表面に植設されているのではなく、円周上において所定の間隔で植設されている。線状体２２は、長さが１〜６ｃｍであり、柔軟性を有する材料（例えば、ナイロンやポリエステルマイクロファイバなど）で作製される。さらに、線状体２２は静菌作用あるいは抗菌作用を有することが好ましい。
なお、線状体２２を円周方向の間隔を開けずに本体部２１の全表面に植設することもできる。
【００１６】
本体部２１の軸心にはローラー軸２３が挿通されている。ローラー軸２３の両端からやや内寄りの部分は、ベースに立設する軸受支柱２５に回転可能に支持されている。この際、ブラシローラー２０と原動ローラー１０とがほぼ平行であって、両ローラーの中心位置がほぼ同じ位置となるように位置決めされる。また、各軸受支柱２５は、ベースに対して高さ調整可能に固定されている。さらに、回転軸２３の両端には、各々プーリ２８が固定されている。ブラシローラー軸２３に固定されたプーリ２８の径と、原動ローラー軸１１に固定されたプーリ１８の径との比は１：１〜１：２である。
【００１７】
原動ローラー軸１１の両端に固定されたプーリ１８と、ブラシローラー軸２３の両端に固定されたプーリ２８との間には、各々タイミングベルト３０が巻き回されている。各タイミングベルト３０は、図に示すように、両プーリ１８、２８間でたすき掛けされている。これにより、両プーリ１８、２８は反対方向に回転する。また、ブラシローラー２０と原動ローラー１０の周速度はほぼ同じとなる。なお、ブラシローラー２０の周速度を原動ローラー１０の周速度よりも速くしてもよい。
なお、プーリ１８、２８を、各々原動ローラー軸１１、ブラシローラー軸２３の片方の端部のみに設けて、両ローラー１０、２０間の回転伝動機構を各ローラーの片側のみに配置してもよい。この場合、装置１の設置スペースに制約がある場合に対応できる。
【００１８】
ベース４０は、この例では平坦なプレート状である。ベース４０の裏面には、高粘着層又は高摩擦力層が貼り付けられている。あるいは、ベース４０の裏面を高粘着性又は高摩擦性を有するように表面処理してもよい。
【００１９】
次に、図２を参照して、この手摺ベルト清掃装置１をエスカレーターに設置した状態を説明する。この例では、上りエスカレーターの場合を示す。
手摺ベルトＢは、階段の両側方に、エスカレーターの乗り口と降り口との間で循環走行するように配設されている。手摺ベルト清掃装置１は、上りエスカレーターの乗り口の、手摺ベルトが上方へ１８０°回転する直前の部分の床上に設置される。この際、原動ローラー１０が上流側、ブラシローラー２０が下流側となるように位置決めする。ベース４０の裏面は高粘着性又は高摩擦性を有するので、いったん設置されたベース４０の位置ずれなどが生じにくい。なお、原動ローラー１０とブラシローラー２０の位置は逆でもよい。
【００２０】
そして、原動ローラー１０がある程度の圧力で手摺ベルトＢの表面に接触するように、軸受支柱１３の高さを調整する。同時に、ブラシローラー２０と手摺ベルトＢの表面との間に所定の間隔（例えば１〜３ｃｍ）が開くように、軸受支柱２５の高さを調整する。
【００２１】
図１を参照して、手摺ベルト清掃装置１の動作を説明する。手摺ベルトＢが循環走行すると、同ベルトＢに接触している原動ローラー１０は、ベルトＢとの摩擦によって回転する。この例では、ベルトＢが図の左上から右下に走行すると、原動ローラー１０は図の時計方向に、手摺ベルトＢの走行速度と同じ周速度で回転する。こうして原動ローラー１０とともに原動ローラー軸１１が回転すると、タイミングベルト３０を介してブラシローラー２０が図の反時計方向に回転する。つまり、ブラシローラー２０は、手摺ベルトＢの走行方向と反対方向に回転する。このため、ブラシローラー２０の周速度は、相対的に手摺ベルトＢの走行速度の２倍となる。この回転によってブラシローラー２０の本体部２１に植設された線状体２２が遠心力によって立ち上がって手摺ベルトＢの表面に接触し、これによりベルトＢの表面に付着したほこりなどを除去する。
【００２２】
一般に、手摺ベルトＢは図１や図３に示すように、両側端部が裏面に向かって折り返されている。この例では、ブラシローラー２０の幅は手摺ベルトＢの幅よりも広いので、図３に示すように、手摺ベルトＢの折り返されている面にもブラシローラー２０の線状体２２が接触して同面も清掃する。
【００２３】
なお、手摺ベルト清掃装置１を、下りエスカレーターの乗り口の床面上に設置することも当然可能である。
【符号の説明】
【００２４】
１  手摺ベルト清掃装置
１０  原動ローラー                  １１  回転軸
１３  軸受支柱                      １４  バネ
１５  支柱部                        １６  軸受部
１８  プーリ
２０  ブラシローラー                ２１  本体部
２２  線状体                        ２５  軸受支柱
２８  プーリ                        ３０  タイミングベルト
４０  ベース
【図１】
2012218892.tif 000003
【図２】
2012218892.tif 000004
【図３】
2012218892.tif 000005